(57)【要約】【課題】給湯器の仕様の相違に関係なく、給湯器の使用状況を遠隔監視するための、汎用的かつ簡易な、後付式の監視装置を構築する。【解決手段】給湯器の使用を遠隔監視するための後付式監視装置（１）であって、監視器（１０）と、給湯器毎に用いられるセンサ器（２０）とを備えており、前記センサ器（２０）は、給湯器の使用によって給湯器から生じる熱を検知するための熱検知器（２０２）と、センサ器（２０）を給湯器に設置するための設置手段（２０３）とを備え、前記センサ器（２０）が給湯器の熱を検知した際に通知を行うための通知手段（１０１）を、前記監視器（１０）が備えている。【選択図】図１
0003212891.tif 000002
【実用新案登録請求の範囲】
【請求項１】
給湯器の使用を遠隔監視するための後付式監視装置であって、
該監視装置が監視器と、給湯器毎に用いられるセンサ器とを備えており、
前記センサ器は、給湯器の使用によって給湯器から生じる熱を検知するための熱検知器と、センサ器を給湯器に設置するための設置手段とを備え、
前記センサ器が給湯器の熱を検知した際に通知を行うための通知手段を、前記監視器が備えていることを特徴とする、後付式監視装置。
【請求項２】
前記センサ器がセンサ器本体を備え、
前記設置手段は、該センサ器本体上に備えられているものであり、
給湯器に対する熱検知器の相対的位置を調整するための位置調整手段を、前記センサ器本体と前記熱検知器との間に備えていることを特徴とする、請求項１に記載の監視装置。
【請求項３】
前記熱検知器がサーミスタであることを特徴とする、請求項１または２に記載の監視装置。
【請求項４】
前記設置手段がマグネットであることを特徴とする、請求項１〜３のいずれか一つに記載の監視装置。
【請求項５】
前記通知手段がＬＥＤであることを特徴とする、請求項１〜４のいずれか一つに記載の監視装置。
【請求項６】
前記センサ器が給湯器の使用開始を検知してから所定の時間が経過しても、依然として該給湯器が使用中である場合に、給湯器の継続使用を通知するための、継続使用検知機構を備えていることを特徴とする、請求項１〜５のいずれか一つに記載の監視装置。
【考案の詳細な説明】
【技術分野】
【０００１】
本考案は、給湯器の使用を監視する、後付式の監視装置に関する。
【背景技術】
【０００２】
一般に、多くの客室を有するホテルにおいては、給湯器が客室毎に設置されており、ホテルの宿泊客は、風呂等の用途でこの給湯器を使用することになる。
【０００３】
安全性の観点等から、この客室給湯器の使用状況を、例えばホテルのフロントに居るホテル管理者が遠隔監視したいという潜在ニーズが存在していた。
【０００４】
給湯器の遠隔監視のために監視機器を内蔵するものは、多々存在する。
例えば特許文献１には、都市ガスを燃料とする瞬間式給湯器の内部に、給湯器内制御機器と内部状態検出器とを内蔵することにより、内部状態検出器が給湯器内制御機器からの情報に基づき給湯器の内部状態を検出し、検知信号を送信することが記載されている。
【０００５】
しかしながら、上記のような監視機器を備えていない給湯器を、監視機器を備える給湯器へと全面的に置き換えるのは、ホテル管理者にとって、コスト、置き換え作業期間等の観点から、負担が大きい。
また、給湯器内制御機器のデータを管理する仕様は給湯器によって、また、給湯器メーカーによって異なり得るものである。このような仕様の相違に関係なく、汎用的に使用できるような、給湯器の使用監視装置は存在しなかった。
【先行技術文献】
【特許文献】
【０００６】
【特許文献１】特開２０１５−１３２４６１
【考案の概要】
【考案が解決しようとする課題】
【０００７】
したがって本考案は、給湯器の仕様の相違に関係なく、給湯器の使用状況を遠隔監視するための、汎用的かつ簡易な、後付式の監視装置を構築することを目的とする。
【０００８】
また、監視機器を備えていない給湯器を交換することなく、低コストかつ低工数で、給湯器使用の遠隔監視をも行えるようにする。
【課題を解決するための手段】
【０００９】
上記の課題を解決するために、本考案に係る監視装置は、監視器と、給湯器毎に用いるセンサ器とを備え、前記センサ器は、給湯器から生じる熱を検知するための熱検知器と、センサ器を給湯器に設置するための設置手段とを備えているものである。
前記設置手段によって給湯器へと設置されたセンサ器は、ホテルの客室等において給湯器が使用された事を、熱検知器により検知し、監視装置が備える監視器を作動させる。
【００１０】
監視器は、通知手段を備えている。
給湯器の使用をセンサ器が検知した時に、監視器が備える通知手段は、これをホテル管理者等へ通知する。
【００１１】
上述の構成により、給湯器自体を交換しなくとも、また、給湯器の種類に関わらず、給湯器の排煙口周辺等の熱検知が可能な箇所に、センサ器を後付けで設置することが出来る。
そして、給湯器が使用された事を、例えばホテルのフロントに居るホテル管理者等に対し、監視器が備える通知手段によって通知することが出来る。
【００１２】
より特定的には、前記熱検知器はサーミスタである。
サーミスタは、温度変化を感知してその抵抗値を変化させる性質を有しており、給湯器の廃熱を感知して、センサ器内で微弱電流を発生させることが可能である。
この微弱電流を監視器へと伝達し、該監視器が備える通知手段が通知を行う。
【００１３】
より特定的には、前記設置手段はマグネットである。
マグネットは、給湯器の排煙口周辺等に、磁力によって熱検知器を設置することを可能にする。ただし、マグネット以外の設置手段を排除するものではない。
【００１４】
好適には、センサ器は本体を有し、このセンサ器本体上に前記設置手段が設けられている。また、熱検知器の位置を調節するための位置調整手段を、センサ器本体と熱検知器との間に備える。
より特定的には、位置調整手段は、可撓性を有するチューブであって、該チューブの中に、微弱電流を伝送するための導電体を挿入したものである。
この構成によって、給湯器に取り付けられたセンサ器本体を基点として、熱検知器の相対的位置を、給湯器との関係において調整することが出来る。
この位置調整によって、給湯器の使用の検知を確実に行うことが出来るようになる。
【００１５】
より特定的には、前記通知手段はＬＥＤである。
客室給湯器が使用されると、監視器において、その客室に対応するＬＥＤランプが点灯する。この点灯により、ホテル管理者等が給湯器の使用を遠隔で確認することが出来る。
【００１６】
また、ホテルの管理側からすると、安全性の観点等から、客室給湯器の長時間の継続使用を確認したいという潜在ニーズがある。
そこで、本考案に係る監視装置は、給湯器の所定の時間を超えた継続使用を検知する、継続使用検知機構を備える。
この継続使用検知機構は、給湯器の使用開始をセンサ器が検知してから所定の時間、例えば１５分が経過しても、依然として給湯器が使用中である場合に、この継続使用を、前記通知手段によって通知するものである。
【００１７】
前記通知手段がＬＥＤである場合、給湯器の使用開始をＬＥＤの点灯で、給湯器の所定の時間を超えた継続使用を該ＬＥＤの点滅で、それぞれ通知することが出来る。
この構成により、給湯器の長時間継続使用をホテル管理者等が遠隔で監視することが出来るようになる。
【００１８】
したがって本考案は、以下のようなものである。
第一に、
給湯器の使用を遠隔監視するための後付式監視装置であって、
該監視装置が監視器と、給湯器毎に用いられるセンサ器とを備えており、
前記センサ器は、給湯器の使用によって給湯器から生じる熱を検知するための熱検知器と、センサ器を給湯器に設置するための設置手段とを備え、
前記センサ器が給湯器の熱を検知した際に通知を行うための通知手段を、前記監視器が備えていることを特徴とする、後付式監視装置。
第二に、
前記センサ器がセンサ器本体を備え、
前記設置手段は、該センサ器本体上に備えられているものであり、
給湯器に対する熱検知器の相対的位置を調整するための位置調整手段を、前記センサ器本体と前記熱検知器との間に備えていることを特徴とする、前記第一に記載の監視装置。
第三に、
前記熱検知器がサーミスタであることを特徴とする、前記第一または第二に記載の監視装置。
第四に、
前記設置手段がマグネットであることを特徴とする、前記第一〜第三のいずれか一つに記載の監視装置。
第五に、
前記通知手段がＬＥＤであることを特徴とする、前記第一〜第四のいずれか一つに記載の監視装置。
第六に、
前記センサ器が給湯器の使用開始を検知してから所定の時間が経過しても、依然として該給湯器が使用中である場合に、給湯器の継続使用を通知するための、継続使用検知機構を備えていることを特徴とする、前記第一〜第五のいずれか一つに記載の監視装置。
【００１９】
監視装置の使い方、すなわち客室給湯器の使用を監視する方法としては、上述のいずれか一つの監視装置が備える熱検知器を、客室給湯器の排煙口周辺等の、熱検知が可能な箇所に、設置手段によって取り付ける。その一方で、監視器を、ホテル管理者等が確認可能な場所に設置する。
【考案の効果】
【００２０】
本考案に係る監視装置は、センサ器を給湯器に後付けする事が可能であり、給湯器のメーカー、型番等の種類を問わず、汎用的にかつ簡易にこれを行う事が出来る。
また、監視機能を極めて低いコストで後から実装する事が出来る。
さらに、継続使用検知機構を備えることにより、給湯器の長時間にわたる継続使用を遠隔監視することが出来る。
【図面の簡単な説明】
【００２１】
【図１】本考案に係る監視装置１の概略図である。
【図２】本考案に係る監視装置１が備える監視器１０の実施例を示す基本配線図である。
【図３】本考案に係る監視装置１が備える監視器１０に接続された、フリッカー基板を示す図である。
【考案を実施するための形態】
【００２２】
図１は、本考案に係る監視装置１の概略図である。
この図１を参照すると、監視装置１は監視器１０とセンサ器２０とを備えている。
一般的に、ホテル等において、給湯器は客室毎に備え付けられている。この給湯器１つに対し、１つのセンサ器２０を用いる。客室Ａの給湯器用のセンサ器２０、客室Ｂの給湯器用のセンサ器２０、……、客室Ｘの給湯器用のセンサ器２０という状態である。
その一方で、監視器１０は、例えばホテルフロントの見えやすい位置等に設置される。
この配置により、ホテル管理者等が、各客室における給湯器の使用を、後述の通知手段１０１によって確認することが出来る。
【００２３】
監視装置１が備えるセンサ器２０の機構について、図１を参照しつつ説明する。
センサ器２０は、センサ器本体２０１と、熱検知器２０２と、設置手段２０３とを備えている。
設置手段２０３を用いて、センサ器本体２０１を給湯器の排煙口周辺等に設置する。より特定的には、設置手段２０３はマグネットであり、磁力によって給湯器にセンサ器本体２０１を設置することが出来る。
【００２４】
好適には、センサ器２０は、位置調整手段である可撓性チューブ２０４を更に備えている。
可撓性チューブ２０４は、センサ器本体２０１と熱検知器２０２との間に配置される。この可撓性チューブ２０４を適宜折り曲げることにより、給湯器と熱検知器２０２との相対的位置を調整することが可能である。
なお、可撓性チューブ２０４の中には、導電体としてステンレス線が挿入されている。この挿入の意義については後述する。
【００２５】
設置手段２０３と位置調整手段である可撓性チューブ２０４により、熱検知器２０２は、給湯器の排煙口周辺等に近接させられることになる。この状態で、該給湯器の使用によって発生する熱を、熱検知器２０２によって検知する。
より特定的には、熱検知器２０２はサーミスタである。
サーミスタは、温度変化を感知してその抵抗値を変化させる性質を有している。そのため、給湯器の廃熱を感知した際、熱検知器２０２であるサーミスタの抵抗値が下降し、微弱電流を発生させる。
この微弱電流は、導電体である上記ステンレス線を通り、データ線４０を介して監視器１０へと伝送される。
【００２６】
次に、監視装置１が備える監視器１０の機構について、図１を参照しつつ説明する。
監視器１０は通知手段１０１を備えている。この通知手段は、客室Ａの給湯器用の通知手段１０１、客室Ｂの給湯器用の通知手段１０１、……、客室Ｘの給湯器用の通知手段１０１というように、客室給湯器毎に設けられる。
通知手段１０１は、より特定的にはＬＥＤである。
通知手段１０１であるＬＥＤは、センサ器２０から伝送された微弱電流に応じて点灯する。この点灯により、ホテル管理者等に、客室給湯器が使用されたことを通知することが出来る。
【００２７】
また、ホテルの管理側からすると、安全性の観点等から、客室給湯器の長時間の継続使用を確認したいという潜在ニーズがある。
そこで、本考案に係る監視装置１は、前記センサ器が給湯器の使用開始を検知してから所定の時間が経過しても、依然として該給湯器が使用中である場合に、給湯器の継続使用を通知するための、継続使用検知機構を備えていても良い。
通知手段１０１としてＬＥＤを用いる場合、給湯器の使用開始から所定の時間、例えばおよそ１５分が経過したタイミングで、該ＬＥＤを点灯から点滅へと切り替える。
この点滅により、客室給湯器が長時間、継続使用されていることを、ホテル管理者等が遠隔で確認することが出来る。
【実施例１】
【００２８】
以下において、図２および図３を参照しつつ、本考案の監視装置１が備える監視器１０の実施例について説明する。
本実施例においては、通知手段１０１として客室毎に１つのＬＥＤを用いる。また、継続使用検知機構を備えている。
【００２９】
まず、監視器１０による、給湯器の使用開始を通知する機能について説明する。この通知には、主に、リレースイッチＲＬ１が関与する。
図２は、監視器１０の基本配線図である。
上述のセンサ器２０から伝達された微弱電流は、抵抗（１５ＫΩ）を経由し、ＰＮＰ型トランジスタＴＲ１のベース（Ｂ）へと入力されて増幅され、該トランジスタＴＲ１のコレクタ（Ｃ）からＮＰＮ型トランジスタＴＲ２のベース（Ｂ）へと入力される。その結果、リレースイッチＲＬ１が作動する。
この作動によって、リレースイッチＲＬ１における接点のオフからオンへの切り替えが起こり、通知手段１０１に相当するＬＥＤのカソード側への接続が確保され、該ＬＥＤが点灯する。
例えばフロントに居るホテル管理者等は、このＬＥＤの点灯により、客室給湯器の使用が開始されたことを確認することが出来る。
【００３０】
次に、継続使用検知機構による、給湯器の継続使用を通知する機能について説明する。
この継続使用の通知には、主に、リレースイッチＲＬ２が関与する。
本実施例における継続使用検知機構は、通知手段１０１であるＬＥＤ、コンデンサＣ２、コンデンサＣ２の下流に備えられた抵抗（５００ＫΩ）、リレースイッチＲＬ２、およびフリッカー基板からなる。
給湯器の使用開始の通知に関与する上述のリレースイッチＲＬ１がオンになることにより、リレースイッチＲＬ２もオンとなるが、該リレースイッチＲＬ２は、スイッチがオフ状態の時にフリッカー基板と接続されるように位置づけられている。
なお、リレースイッチＲＬ２がフリッカー基板へ接続されている図２の状態は、リレースイッチＲＬ２のオフ状態に相当する。
リレースイッチＲＬ１がオンになると、電荷はコンデンサＣ１、ＮＰＮ型トランジスタＴＲ３を経由して、コンデンサＣ２へと到達する。すなわち、コンデンサＣ２に電荷の充電がなされる。
ここで、コンデンサＣ２と、接続された抵抗（５００ＫΩ）とが、所定の時間を測るタイマーを構成している。
すなわち、コンデンサＣ２に充電された電荷は、接続された抵抗（５００ＫΩ）で放電される。この放電時間はおよそ１５分間であり、「給湯器の使用開始からの所定の時間」に相当する。
コンデンサＣ２の放電が終わると、リレースイッチＲＬ２が、電源ＤＣ−２４Ｖに接続されているオン状態から、図２に描かれているようなオフ状態へと切り替わる。この切り替えにより、例えば図３にてより詳しく図示しているようなフリッカー基板のコレクタが、通知手段１０１であるＬＥＤのカソードへと接続されることとなる。
フリッカー基板からは、オン／オフの繰り返し出力が生じるため、結果として通知手段１０１であるＬＥＤは、それまでの点灯状態から、点滅状態へと移行する。
このようにして、所定の時間、上記の実施例ではおよそ１５分が経過した後に、通知手段１０１であるＬＥＤによる通知の形態を、点灯から点滅へと切り替えることが出来る。
ホテル管理者等は、ＬＥＤが点灯から点滅へと切り替わることにより、給湯器が所定の時間を超えて継続使用されていることを確認することが出来る。
【００３１】
当業者であれば、タイマーを構成するコンデンサＣ２の容量や、接続された抵抗（５００ＫΩ）の抵抗値等を適宜調整して、前記所定の時間の長さを１５分よりも長く、あるいは短くするよう構成変更が可能であることを、容易に理解出来るであろう。
【符号の説明】
【００３２】
１    監視装置
１０    監視器
１０１    通知手段
２０    センサ器
２０１    センサ器本体
２０２    熱検知器
２０３    設置手段
２０４    位置調整手段
４０    データ線
ＲＬ１、ＲＬ２    リレースイッチ
ＴＲ１〜ＴＲ４    トランジスタ
【図１】
0003212891.tif 000003
【図２】
0003212891.tif 000004
【図３】
0003212891.tif 000005